(57)【要約】【課題】  素足でも靴を履いた状態でも爪先立ち・歩行効果が容易に得られる足裏装着具を提供することを目的としている。【解決手段】  足裏装着具１は足裏の中程に当てられる前方薄型形態の踏み体２と、この踏み体２の横側部に貫通してなるバンド通し孔３と、このバンド通し孔３に着脱可能に通された面ファスナー４により結束する結束バンド５とからなっている。【選択図】  図１
2005081044.tif 000002
【特許請求の範囲】
【請求項１】
足裏の中程に当てられる踏み体と、
この踏み体に設けられたり取り付けられるようにしてなる、該踏み体を素足や履物越しに足裏に固定するための足に着脱可能に結束する結束バンドとからなり、
足裏に前記踏み体を固定した状態で装着者が立ち状態において、踵が地面や床面などの踏み面から浮くようにして、爪先立ち的立ち効果や爪先歩き的歩き効果が得られるようにしてなることを特徴とする足裏装着具。
【請求項２】
踏み体あるいは結束バンドが重い部材からなるものであることを特徴とする請求項１記載の足裏装着具。
【請求項３】
踏み体が内股矯正効果あるいはガリ股矯正効果が得られるように、内側あるいは外側に向けた薄くなる形態であることを特徴とする請求項１、２いずれか記載の足裏装着具。
【発明の詳細な説明】
【技術分野】
【０００１】
本発明は、爪先立ち的立ち効果や爪先歩き的歩き効果を得ることができる足裏装着具に関する。
【背景技術】
【０００２】
従来、底圧を厚くして履く人の踵に届かない短いスリッパやサンダルが知られている。
【０００３】
上記従来技術は、スリッパやサンダルであるので、素足が好きな人には使用できず、また靴で散歩等で効果を得たい人にも使用できないという欠点を持つものであった。
また、形態が同じであるので、使用感や効果が同じでるという欠点を持つものであった。
また、爪先立ち歩きによる筋肉の強化しかできないという欠点を持っていた。
【発明の開示】
【発明が解決しようとする課題】
【０００４】
本発明は以上のような従来技術の欠点に鑑み、素足でも靴を履いた状態でも爪先立ち・歩行効果が容易に得られる足裏装着具を提供することを目的としている。
また本発明の他の目的は、爪先立ち歩き効果による筋肉の強化が得られるとともに、持ち上げによる筋肉強化が得られる足裏装着具を提供することを目的としている。
【課題を解決するための手段】
【０００５】
上記目的を達成するために、本発明は足裏の中程に当てられる踏み体と、この踏み体に設けられたり取り付けられるようにしてなる、該踏み体を素足や履物越しに足裏に固定するための足に着脱可能に結束する結束バンドとで、足裏に前記踏み体を固定した状態で装着者が立ち状態において、踵が地面や床面などの踏み面から浮くようにして、爪先立ち的立ち効果や爪先歩き的歩き効果が得られるようにしてなる足裏装着具を構成している。
【発明の効果】
【０００６】
以上の説明から明らかなように、本発明にあっては足裏の中程に当てられる踏み体と、この踏み体に設けられたり取り付けられるようにしてなる、該踏み体を素足や履物越しに足裏に固定するための足に着脱可能に結束する結束バンドとからなり、足裏に前記踏み体を固定した状態で装着者が立ち状態において、踵が地面や床面などの踏み面から浮くようにして、爪先立ち的立ち効果や爪先歩き的歩き効果が得られるようにしてなるものであるので、素足でも、スリッパを履いた状態でも、靴を履いた状態でも簡単に爪先立ち・爪先たち歩きができるという効果が得られる。
また、前方薄型、楕円型、半円型など多様な形態のもの、硬い、柔らかい、弾性力があるなど多様な材質のものを提供でき、使用者も使用する形態や材質を選ぶことが自由にでき、多様な使用感と効能を得ることができるという効果を奏する。
また、多様な形態と材質の組み合わせたものをセットにして提供できるという効果を得ることができる。
特に重い材質もものは、爪先立ち歩き効果に加えて、持ち上げによる筋肉強化が得られる、鉄アレーとして手の筋肉強化にも使用できるという効果が得られる。
また、内側あるいは外側に薄くなるようにしてなる形態の踏み体のものは、内股矯正効果あるいはガリ股矯正効果をも得ることができる。
【発明を実施するための最良の形態】
【０００７】
以下、図面に示す発明を実施するための最良の形態により、本発明を詳細に説明する。
【０００８】
図１ないし図３に示す本発明を実施するための第１の実施の形態において１は足裏装着具であって、この足裏装着具１は足裏の中程に当てられる後方厚保で前方に逝くに従って薄くなる前方薄型形態の踏み体２と、この踏み体２の横側部に貫通してなるバンド通し孔３と、このバンド通し孔３に着脱可能に通された面ファスナー４により結束する結束バンド５とからなっている。
足裏装着具１は結束バンド５により足裏に踏み体２を固定し、装着者が立ち状態において該装着者の足の踵が地面や床面などの踏み面から浮くようにして、爪先立ち的立ち効果や爪先歩き的歩き効果が得られるようになっている。
検束バンドは踏み体に固定するものもよい。
【０００９】
踏み体は前方薄型、楕円型、半円型、足裏指圧効果を狙った凸凹表面など多様な形態が考えられ、それらの形態により使用感、効能が相違するものを容易にえることができる。
また、材質も、木製や硬質プラスチックや硬質ゴムなどの軽くて硬いもの、鉄製や石製などの硬くて重いもの、柔らかくて重いもの、柔らかくて軽いもの、弾性体で軽いもの、弾性体で重いものなど、多様な形態と材質とすることができる。
これにより、多様な使用感と効能を得ることができるという効果を奏する。
特に、個人による使用感は多様であるので、これに対応したものと出来る。
また、重いものは、鉄アレーとしても利用できるという効果をえることができる。
また、多様な形態と材質の組み合わせたものをセットにして提供できるという効果を得ることができる。
【００１０】
特に、内股矯正効果をもたらすように内側に薄くなっている形態、ガリ股矯正効果をもたらす外側に薄くなっている形態、向きを変えることによりどちらにも使用できる形態にするのが良い。
内側あるいは外側に薄くなる形態は、平らに薄くなるもの、前方内側に向かってあるいは後方内側に向かって薄くなるものなどがあり、使用者の内股、ガリ股の状況に応じて効果のある形態を選択できるようにするのがよい。
【００１１】
（発明を実施するための異なる形態）
次に、図４ないし図６に示す本発明を実施するための異なる形態について説明する。なお、前記第１の実施の形態と同一構成部分には同一符号を付して重複する説明を省略する。
【００１２】
図４に示す本発明の第２の実施の形態において前記第１の実施の形態と主に異なるところは、踏み体を厚みの少ない楕円形態からなる踏み体１０とした足裏装着具１１を形成した点にある。
【００１３】
図５に示す本発明の第３の実施の形態において前記第１の実施の形態と主に異なるところは、踏み体を厚みのある楕円形態からなる踏み体１３とした足裏装着具１４を形成した点にある。
【００１４】
図６に示す本発明の第４の実施の形態において前記第１の実施の形態と主に異なるところは、踏み体を厚みのある半円形態とし且つ上部側を柔軟弾性体１６、下部側を鉄などの硬質重量体１７からなる踏み体１８とした足裏装着具１９を形成した点にある。
【産業上の利用可能性】
【００１５】
本発明は履物を始め健康具を製造する産業で利用される。
【図面の簡単な説明】
【００１６】
【図１】本発明の第１の実施の形態を示す斜視図。
【図２】本発明の第１の実施の形態の素足に装着した状態図。
【図３】本発明の第１の実施の形態のサンダル履き状態に装着した状態図。
【図４】本発明の第２の実施の形態のバンドなしの側面図。
【図５】本発明の第３の実施の形態のバンドなしの側面図。
【図６】本発明の第４の実施の形態のバンドなしの側面図。
【符号の説明】
【００１７】
１：足裏装着具
２：踏み体
３：バンド通し孔
４：面ファスナー４
５：結束バンド
７：スリッパ
１０：踏み体
１１：足裏装着具
１３：踏み体
１４：足裏装着具
１６：柔軟弾性体
１７：硬質重量体
１８：踏み体
１９：足裏装着具
【図１】
2005081044.tif 000003
【図２】
2005081044.tif 000004
【図３】
2005081044.tif 000005
【図４】
2005081044.tif 000006
【図５】
2005081044.tif 000007
【図６】
2005081044.tif 000008
【手続補正書】
【提出日】平成15年9月18日(2003.9.18)
【手続補正１】
【補正対象書類名】特許請求の範囲
【補正対象項目名】全文
【補正方法】変更
【補正の内容】
【特許請求の範囲】
【請求項１】
足裏の中程に当てられる踏み体と、
この踏み体に設けられたり取り付けられるようにしてなる、該踏み体を素足や履物越し
に足裏に固定するための足に着脱可能に結束する結束バンドとからなり、
足裏に前記踏み体を固定した状態で装着者が立ち状態において、踵が地面や床面などの
踏み面から浮くようにして、爪先立ち的立ち効果や爪先歩き的歩き効果が得られるように
してなることを特徴とする足裏装着具。
【請求項２】
踏み体あるいは結束バンドが重い部材からなるものであることを特徴とする請求項１記載
の足裏装着具。
【請求項３】
踏み体が内股矯正効果あるいはガニ股矯正効果が得られるように、内側あるいは外側に向
けた薄くなる形態であることを特徴とする請求項１、２いずれか記載の足裏装着具。
【手続補正２】
【補正対象書類名】明細書
【補正対象項目名】全文
【補正方法】変更
【補正の内容】
【発明の詳細な説明】
【技術分野】
【０００１】
本発明は、爪先立ち的立ち効果や爪先歩き的歩き効果を得ることができる足裏装着具に
関する。
【背景技術】
【０００２】
従来、底圧を厚くして履く人の踵に届かない短いスリッパやサンダルが知られている。
【０００３】
上記従来技術は、スリッパやサンダルであるので、素足が好きな人には使用できず、ま
た靴で散歩等で効果を得たい人にも使用できないという欠点を持つものであった。
また、形態が同じであるので、使用感や効果が同じでるという欠点を持つものであった
。
また、爪先立ち歩きによる筋肉の強化しかできないという欠点を持っていた。
【発明の開示】
【発明が解決しようとする課題】
【０００４】
本発明は以上のような従来技術の欠点に鑑み、素足でも靴を履いた状態でも爪先立ち・
歩行効果が容易に得られる足裏装着具を提供することを目的としている。
また本発明の他の目的は、爪先立ち歩き効果による筋肉の強化が得られるとともに、持
ち上げによる筋肉強化が得られる足裏装着具を提供することを目的としている。
【課題を解決するための手段】
【０００５】
上記目的を達成するために、本発明は足裏の中程に当てられる踏み体と、この踏み体に
設けられたり取り付けられるようにしてなる、該踏み体を素足や履物越しに足裏に固定す
るための足に着脱可能に結束する結束バンドとで、足裏に前記踏み体を固定した状態で装
着者が立ち状態において、踵が地面や床面などの踏み面から浮くようにして、爪先立ち的
立ち効果や爪先歩き的歩き効果が得られるようにしてなる足裏装着具を構成している。
【発明の効果】
【０００６】
以上の説明から明らかなように、本発明にあっては足裏の中程に当てられる踏み体と、
この踏み体に設けられたり取り付けられるようにしてなる、該踏み体を素足や履物越しに
足裏に固定するための足に着脱可能に結束する結束バンドとからなり、足裏に前記踏み体
を固定した状態で装着者が立ち状態において、踵が地面や床面などの踏み面から浮くよう
にして、爪先立ち的立ち効果や爪先歩き的歩き効果が得られるようにしてなるものである
ので、素足でも、スリッパを履いた状態でも、靴を履いた状態でも簡単に爪先立ち・爪先
たち歩きができるという効果が得られる。
また、前方薄型、楕円型、半円型など多様な形態のもの、硬い、柔らかい、弾性力があ
るなど多様な材質のものを提供でき、使用者も使用する形態や材質を選ぶことが自由にで
き、多様な使用感と効能を得ることができるという効果を奏する。
また、多様な形態と材質の組み合わせたものをセットにして提供できるという効果を得
ることができる。
特に重い材質もものは、爪先立ち歩き効果に加えて、持ち上げによる筋肉強化が得られ
る、鉄アレーとして手の筋肉強化にも使用できるという効果が得られる。
また、内側あるいは外側に薄くなるようにしてなる形態の踏み体のものは、内股矯正効
果あるいはガニ股矯正効果をも得ることができる。
【発明を実施するための最良の形態】
【０００７】
以下、図面に示す発明を実施するための最良の形態により、本発明を詳細に説明する。
【０００８】
図１ないし図３に示す本発明を実施するための第１の実施の形態において１は足裏装着
具であって、この足裏装着具１は足裏の中程に当てられる後方厚保で前方に行くに従って
薄くなる前方薄型形態の踏み体２と、この踏み体２の横側部に貫通してなるバンド通し孔
３と、このバンド通し孔３に着脱可能に通された面ファスナー４により結束する結束バン
ド５とからなっている。
足裏装着具１は結束バンド５により足裏に踏み体２を固定し、装着者が立ち状態におい
て該装着者の足の踵が地面や床面などの踏み面から浮くようにして、爪先立ち的立ち効果
や爪先歩き的歩き効果が得られるようになっている。
検束バンドは踏み体に固定するものもよい。
【０００９】
踏み体は前方薄型、楕円型、半円型、足裏指圧効果を狙った凸凹表面など多様な形態が
考えられ、それらの形態により使用感、効能が相違するものを容易にえることができる。
また、材質も、木製や硬質プラスチックや硬質ゴムなどの軽くて硬いもの、鉄製や石製
などの硬くて重いもの、柔らかくて重いもの、柔らかくて軽いもの、弾性体で軽いもの、
弾性体で重いものなど、多様な形態と材質とすることができる。
これにより、多様な使用感と効能を得ることができるという効果を奏する。
特に、個人による使用感は多様であるので、これに対応したものと出来る。
また、重いものは、鉄アレーとしても利用できるという効果をえることができる。
また、多様な形態と材質の組み合わせたものをセットにして提供できるという効果を得
ることができる。
【００１０】
特に、内股矯正効果をもたらすように内側に薄くなっている形態、ガニ股矯正効果をも
たらす外側に薄くなっている形態、向きを変えることによりどちらにも使用できる形態に
するのが良い。
内側あるいは外側に薄くなる形態は、平らに薄くなるもの、前方内側に向かってあるい
は後方内側に向かって薄くなるものなどがあり、使用者の内股、ガニ股の状況に応じて効
果のある形態を選択できるようにするのがよい。
【００１１】
（発明を実施するための異なる形態）
次に、図４ないし図６に示す本発明を実施するための異なる形態について説明する。な
お、前記第１の実施の形態と同一構成部分には同一符号を付して重複する説明を省略する
。
【００１２】
図４に示す本発明の第２の実施の形態において前記第１の実施の形態と主に異なるとこ
ろは、踏み体を厚みの少ない楕円形態からなる踏み体１０とした足裏装着具１１を形成し
た点にある。
【００１３】
図５に示す本発明の第３の実施の形態において前記第１の実施の形態と主に異なるとこ
ろは、踏み体を厚みのある楕円形態からなる踏み体１３とした足裏装着具１４を形成した
点にある。
【００１４】
図６に示す本発明の第４の実施の形態において前記第１の実施の形態と主に異なるとこ
ろは、踏み体を厚みのある半円形態とし且つ上部側を柔軟弾性体１６、下部側を鉄などの
硬質重量体１７からなる踏み体１８とした足裏装着具１９を形成した点にある。
【産業上の利用可能性】
【００１５】
本発明は履物を始め健康具を製造する産業で利用される。
【図面の簡単な説明】
【００１６】
【図１】本発明の第１の実施の形態を示す斜視図。
【図２】本発明の第１の実施の形態の素足に装着した状態図。
【図３】本発明の第１の実施の形態のサンダル履き状態に装着した状態図。
【図４】本発明の第２の実施の形態のバンドなしの側面図。
【図５】本発明の第３の実施の形態のバンドなしの側面図。
【図６】本発明の第４の実施の形態のバンドなしの側面図。
【符号の説明】
【００１７】
１：足裏装着具
２：踏み体
３：バンド通し孔
４：面ファスナー４
５：結束バンド
７：スリッパ
１０：踏み体
１１：足裏装着具
１３：踏み体
１４：足裏装着具
１６：柔軟弾性体
１７：硬質重量体
１８：踏み体
１９：足裏装着具